(57)【要約】【課題】外力により容易に変形することのないカバー材と、該カバー材を嵌合するベース材とからなる金属サイディング用役物を提供する。【解決手段】縦長金属板の中央平面部を表面化粧部１１とし、この表面化粧部１１の長さ方向両側部を折り曲げ、さらに上記表面化粧部１１の裏面略中央で折り返して左右脚部１２、１３としたカバー材１と、上記左右脚部１２、１３が一体的に嵌合する嵌合部２０を有するベース材２とからなる役物であって、上記表面化粧部１１の裏面略中央における左脚部１２の折り返し部１２０と右脚部１３の折り返し部１３０とが相互に近接していることを特徴とする。【選択図】図２
2005126988.tif 000002
【特許請求の範囲】
【請求項１】
縦長金属板の中央平面部を表面化粧部とし、この表面化粧部の長さ方向両側部を折り曲げ、さらに上記表面化粧部の裏面略中央で折り返して左右脚部としたカバー材と、上記左右脚部が一体的に嵌合する嵌合部を有するベース材とからなる役物であって、上記表面化粧部の裏面略中央における左脚部の折り返し部と右脚部の折り返し部とが相互に近接していることを特徴とする金属サイディング用役物。
【請求項２】
上記縦長金属板がバネ弾性を有する請求項１に記載の金属サイディング用役物。
【請求項３】
上記左右脚部の先端を互いに離反させるとともに、反対方向に折り曲げて左右一対のフック状係止片とし、この左右一対のフック状係止片と係合する左右一対の係合片をベース材に突設すると共に、上記嵌合部が、この左右一対の係合片の間に形成された請求項１に記載の金属サイディング用役物。
【請求項４】
上記表面化粧部の裏面端部に、その長さ方向に沿って防水パッキンが延設された請求項１に記載の金属サイディング用役物。
【請求項５】
上記カバー材の表面化粧部に出隅に対応する直角コーナー部が設けられるとともに、上記ベース材にも出隅に対応する直角コーナー部が設けられた請求項１に記載の金属サイディング用役物。
【発明の詳細な説明】
【技術分野】
【０００１】
本発明は、金属サイディング用役物に関する。さらに詳しくは、建物の外装材等に用いる金属サイディングの目地に取付けられる役物の構造に関する。
【背景技術】
【０００２】
建物の外装等に用いる金属サイディングは、化粧された亜鉛めっき鋼板やステンレス板等の裏面にロックウール等の断熱材を装着、一体化して形成され、通常、建物等の外壁に、種々の役物を用いて取付けられる。この役物の構造については種々の技術が公知であり、例えば下記の文献をあげることができる。
【特許文献１】特開２００３−５６１５６号公報（第１−３頁、第１図、第３図）
【特許文献２】特開平９−４１６１８号公報（第１−３頁、第１図、第４図）
【特許文献３】特開平８−２４６６５５号公報（第１−３頁、第１〜３図）
【特許文献４】登実登−３０５２２２１号公報（第１−２頁、第１〜３図）
【０００３】
上記、従来の金属サイディング用役物の一例を平断面図により図４に示す。図４に示されているように、上記公知の役物は通常、カバー材５とベース材６とからなり、上記カバー材５は縦長の金属板を曲げ加工したものが用いられている。すなわち、図４において、カバー材５は、縦長金属板の中央平面部を表面化粧部５１とし、この表面化粧部５１の長さ方向両側部を折り曲げ、上記表面化粧部５１の裏面の左折り曲げ部５２０と右折り曲げ部５３０とにおいてさらに折り曲げられ、左脚部５２、右脚部５３とされている。また、上記左右脚部５２、５３の先端は、フック状に反対方向に折り返されて左フック状係止片５２１、右フック状係止片５３１とし、この左右一対のフック状係止片５２１、５３１をベース材６に突設した一対の左係合片６１と右係合片６２に係合させ、このようにしてカバー材５とベース材６とは、金属サイディングＳの目地に取付けられる。なお、図４、図５において、符号Ｐは、上記カバー材５の表面化粧部５１の裏面両端の長さ方向に沿って延設された防水パッキンを示す。
【発明の開示】
【発明が解決しようとする課題】
【０００４】
しかしながら、上記カバー材５に外力が加わり、例えば、図５に矢印で示すようにカバー材５を剥がす方向に力がかかるとカバー材５自体が変形し、カバー材５と金属サイディングＳとの間に隙間が生じ、雨水等が浸入するため、駆体が腐食したり、カビが発生する等の問題が生じる。本発明は、このような問題を解決して、金属サイディングに密着するとともに、外力により容易に変形することのないカバー材と、このカバー材としっかりと嵌合するベース材とからなる金属サイディング用役物を提供することをその課題とする。
【課題を解決するための手段】
【０００５】
本発明は、上記課題を解決するために考え出されたものであって、つぎのような技術的手段を講じている。すなわち、本発明によれば、縦長金属板の中央平面部を表面化粧部とし、この表面化粧部の長さ方向両側部を折り曲げ、さらに上記表面化粧部の裏面略中央で折り返して左右脚部としたカバー材と、上記左右脚部が一体的に嵌合する嵌合部を有するベース材とからなる役物であって、上記表面化粧部の裏面略中央における左脚部の折り返し部と右脚部の折り返し部とが相互に近接していることを特徴とする金属サイディング用役物が提供される。
【０００６】
上記縦長金属板がバネ弾性を有することが好ましい。上記金属板としては、被覆鋼板、ステンレススチール板等が好適に用いられる。
【０００７】
上記左右脚部の先端を互いに離反させるとともに、反対方向に折り曲げて左右一対のフック状係止片とし、この左右一対のフック状係止片と係合する左右一対の係合片をベース材に突設すると共に、上記嵌合部が、この左右一対の係合片の間に形成されることが好ましい。
【０００８】
上記表面化粧部の裏面端部の長さ方向に沿って防水パッキンが延設されることが好ましい。防水パッキンとしてはＥＰＤＭ（エチレンプロピレンゴム）、発泡ウレタン、発泡ポリエチレン等が好ましく用いられる。
【０００９】
上記カバー材の表面化粧部に出隅に対応する直角コーナー部が設けられるとともに、上記ベース材にも出隅に対応する直角コーナー部が設けられることが好ましい。
【発明の効果】
【００１０】
請求項１に記載の発明は上記のとおりであり、とくに、上記表面化粧部の裏面略中央における左脚部の折り返し部と右脚部の折り返し部とが相互に近接しているため、外力がカバー材を剥がす方向に加えられても、上記左右折り返し部が相互に接触してそれ以上に変形せず、カバー材と金属サイディングとの間に隙間が生じることを防ぐ。
【００１１】
上記縦長金属板がバネ弾性を有しているため、カバー材の左右脚部を一体的にベース材の嵌合部に嵌合したとき、左右脚部の相互に離反しようとする反発力が働いて、しっかりと嵌合部に弾接することができる。
【００１２】
上記左右脚部の先端を互いに離反させるとともに、反対方向に折り曲げて左右一対のフック状係止片とし、この左右一対のフック状係止片を、ベース材に突設した、左右一対の係合片の間に形成された嵌合部に嵌合するため、左右一対のフック状係止片と左右一対の係合片とが各々係合し、金属サイディングの目地に本発明の役物をしっかりと取付けることができる。
【００１３】
上記表面化粧部の裏面端部の長さ方向に沿って防水パッキンが延設されているため、カバー材と金属サイディングとの間を止水して雨水等の浸入を防ぎ、駆体を腐食やカビの発生等から保護することができる。
【００１４】
上記カバー材の表面化粧部に出隅に対応する直角コーナー部が設けられるとともに、上記ベース材にも出隅に対応する直角コーナー部が設けられているため、
金属サイディングの出隅に本発明の役物をしっかりと取付けることができる。
【発明を実施するための最良の形態】
【００１５】
以下、カバー材とベース材とからなる本発明の金属サイディング用役物の実施形態について図面を参照して、詳細に説明する。図１（ａ）は上記カバー材１を示す平面図である。図１（ａ）において、カバー材１は、縦長の被覆鋼板の中央平面部を化粧して表面化粧部１１とし、この表面化粧部１１の長さ方向両側部を折り曲げ、さらに上記表面化粧部１１の裏面略中央における左折り返し部１２０で折り返して設けられた左脚部１２と、右折り返し部１３０で折り返して設けられた右脚部１３とを有している。
【００１６】
図１（ａ）からよくわかるように、左脚部１２と右脚部１３とは先端に行くに従って互いに離反し、その先端は反対方向に折り曲げられフック状の係止片１２１、１３１とされている。また、左脚部１２と右脚部１３は、図１（ａ）に矢印で示すように、その間隔を縮める外力に対して反発するバネ弾性を有している。図１（ｂ）は、図１（ａ）に示すカバー材１の変形例であり、左右脚部１２、１３は、表面化粧部１１の裏面略中央における左右折り返し部１２０、１３０から垂設され、先端部で離反してフック状の左右係止片１２１、１３１とされている。
【００１７】
図２は、図１（ａ）に示したカバー材１をベース材２に嵌合する状態を示す説明図である。図２において、上記カバー材１の表面化粧部１１の裏面両端には、その長さ方向に沿ってＥＰＤＭからなる防水パッキンＰが延設されている。また、ベース材２には上記カバー材１の左係止片１２１と係合する左係合片２１および右係止片１３１と係合する右係合片２２とが設けられ、上記左係合片２１と右係合片２２との間に嵌合部２０が形成されている。
【００１８】
図２からよくわかるように、カバー材１の左右脚部１２、１３をバネ弾性による反発力に抗して一体的に上記ベース材２に設けられた嵌合部２０に嵌合して弾接させるとともに、左右一対の係止片１２１、１３１を左右一対の係合片２１、２２に各々係合させることにより、金属サイディングＳの目地に本発明の役物をしっかりと取付けることができる。また、左折り返し部１２０と右折り返し部１３０とが近接しているため、既述したように、カバー材１を剥がす方向に外力が加えられても、上記左右折り返し部１２０、１３０が相互に接触してそれ以上変形せず、カバー材１と金属サイディングＳとの間に隙間が生じることを防ぐ。
【００１９】
図３は、図２に示した本発明の金属サイディング用役物を出隅に対応できるように変形し、出隅用カバー材３を出隅用ベース材４に嵌合する状態を示す説明図である。図３において、出隅用カバー材３の表面化粧部３１には、出隅に対応できるように直角コーナー部３１３を設けるとともに、出隅用ベース材４にも出隅に対応できるように直角コーナー部４３が設けられ、上記出隅用カバー材３の表面化粧部３１の裏面両端には、その長さ方向に沿ってＥＰＤＭからなる防水パッキンＰが延設されている。また、出隅用ベース材４には上記出隅用カバー材３の左係止片３２１と係合する左係合片４１および右係止片３３１と係合する右係合片４２とが設けられ、上記左係合片４１と右係合片４２との間には嵌合部４０が形成されている。
【００２０】
図３からよくわかるように、出隅用カバー材３の左右脚部３２、３３をバネ弾性による反発力に抗して一体的に上記出隅用ベース材４の嵌合部４０に嵌合して弾接させるとともに、左右一対の係止片３２１、３３１を左右一対の係合片４１、４２に各々係合させることにより、金属サイディングＳの出隅に本発明の役物をしっかりと取付けることができる。また、左折り返し部３２０と右折り返し部３３０とが近接しているため、既述したように、出隅用カバー材３を剥がす方向に外力が加えられても、左右折り返し部３２０、３３０が相互に接触してそれ以上変形せず、出隅用カバー材３と金属サイディングＳとの間に隙間が生じることを防ぐ。
【図面の簡単な説明】
【００２１】
【図１】（ａ）本発明の金属サイディング用役物にかかるカバー材を示す平面図である。（ｂ）図１（ａ）に示すカバー材の変形例である。
【図２】図１（ａ）に示したカバー材をベース材に嵌合する状態を示す説明図である。
【図３】本発明にかかる出隅用カバー材を出隅用ベース材に嵌合する状態を示す説明図である。
【図４】公知の金属サイディング用役物の一例を示す平断面図である。
【図５】公知のカバー材に力がかかり変形した状態を示す平断面図である。
【符号の説明】
【００２２】
１          本発明の金属サイディング用役物にかかるカバー材
１１        表面化粧部
１２        左脚部
１２０      左折り返し部
１２１      左フック状係止片
１３        右脚部
１３０      右折り返し部
１３１      右フック状係止片
２          本発明の金属サイディング用役物にかかるベース材
２０        嵌合部
２１        左係合片
２２        右係合片
３          本発明の金属サイディング用役物にかかる出隅用カバー材
３１        表面化粧部
３１３      直角コーナー部
３２        左脚部
３２０      左折り返し部
３２１      左フック状係止片
３３        右脚部
３３０      右折り返し部
３３１      右フック状係止片
４          本発明の金属サイディング用役物にかかる出隅用ベース材
４０                嵌合部
４１        左係合片
４２        右係合片
５          公知の金属サイディング用役物にかかるカバー材
５１        表面化粧部
５２        左脚部
５２０      左折り曲げ部
５２１      左フック状係止片
５３        右脚部
５３０      右折り曲げ部
５３１      右フック状係止片
６          公知の金属サイディング用役物にかかるベース材
６１        左係合片
６２        右係合片
Ｐ          防水パッキン
Ｓ          金属サイディング
【図１】
2005126988.tif 000003
【図２】
2005126988.tif 000004
【図３】
2005126988.tif 000005
【図４】
2005126988.tif 000006
【図５】
2005126988.tif 000007